(57)【要約】【課題】長期使用によっても着脱式本来の機能を失うことがない視線誘導標識の脚部取付け構造の提供。【解決手段】埋設用脚2は、上面から凹設された第１の穴部22と、第１の穴部の底面22aから更に凹設され、該第１の穴部22よりも小径な第２の穴部23とを有し、第２の穴部23の内周面に固定用ボルト13と螺合する雌ねじが刻設されており、視線誘導標識1は、柱形状の視線誘導標識本体11の下端に台座部12を有すると共に、該台座部12の下端面から固定用ボルト13と同軸状に突出する合成樹脂製の突起部14を有し、突起部14の下端面に合成樹脂製の環状凸条部15が固定用ボルト13と同心状に突設されており、固定用ボルト13が埋設用脚2の雌ねじに螺合することにより、視線誘導標識1の突起部14が埋設用脚2の第１の穴部22内に嵌合すると共に、環状凸条部15が第１の穴部22の底面に当接するように取り付けられることを特徴とする。【選択図】図２
2013142241.tif 000002
【特許請求の範囲】
【請求項１】
視線誘導標識の台座部から突設される固定用ボルトを、路面に埋設された埋設用脚に対して螺合させることにより該視線誘導標識を路面に立設する視線誘導標識の脚部取付け構造であって、
前記埋設用脚は、上面から凹設された第１の穴部と、前記第１の穴部の底面から更に凹設され、該第１の穴部よりも小径な第２の穴部とを有し、前記第２の穴部の内周面に前記固定用ボルトと螺合する雌ねじが刻設されており、
前記視線誘導標識は、柱形状の視線誘導標識本体の下端に台座部を有すると共に、該台座部の下端面から前記固定用ボルトと同軸状に突出する合成樹脂製の突起部を有し、
前記突起部の下端面に合成樹脂製の環状凸条部が前記固定用ボルトと同心状に突設されており、
前記固定用ボルトが前記埋設用脚の前記雌ねじに螺合することにより、前記視線誘導標識の前記突起部が前記埋設用脚の前記第１の穴部内に嵌合すると共に、前記環状凸条部が前記第１の穴部の底面に当接するように取り付けられることを特徴とする視線誘導標識の脚部取付け構造。
【請求項２】
前記環状凸条部は前記突起部に一体成形されていることを特徴とする請求項１記載の視線誘導標識の脚部取付け構造。
【請求項３】
上面から凹設された第１の穴部と、前記第１の穴部の底面から更に凹設され、該第１の穴部よりも小径な第２の穴部と、前記第２の穴部の内周面に刻設された雌ねじとを有して路面に埋設される埋設用脚に対して着脱可能に取り付けられる視線誘導標識であって、
柱形状の視線誘導標識本体の下端に台座部と、該台座部の下端面から突設されて前記埋設用脚の前記第２の穴部と螺合する固定用ボルトと、前記台座部の下端面から前記固定用ボルトと同軸状に突出することで前記埋設用脚の前記第１の穴部に挿入される合成樹脂製の突起部とを有し、
前記突起部の下端面に、前記埋設用脚への取付け完了時に前記第１の穴部の底面に当接する合成樹脂製の環状凸条部が、前記固定用ボルトと同心状に突設されていることを特徴とする視線誘導標識。
【請求項４】
前記環状凸条部は前記突起部に一体成形されていることを特徴とする請求項３記載の視線誘導標識。
【発明の詳細な説明】
【技術分野】
【０００１】
本発明は、視線誘導標識の脚部取付け構造及び視線誘導標識に関し、詳しくは、視線誘導標識の固定用ボルトと路面に埋設される埋設用脚との間に水が浸入しないようにした視線誘導標識の脚部取付け構造及び視線誘導標識に関する。
【背景技術】
【０００２】
道路の交通を円滑に誘導するために路面に立設される視線誘導標識は、通常、破損等が発生して交換が必要となるまで設置されたままとされ、取り外しされることはないが、積雪地域においては除雪作業を行う際の支障となるため、冬期に路面から取り外すことがある。このように取り外しを前提とした視線誘導標識としては、図８に示すように、視線誘導標識本体１０１の下端面から突設される固定用ボルト１０１を、路面ＧＬに埋設された埋設用脚２００に対して螺合することにより路面ＧＬに着脱可能に立設される視線誘導標識１００が知られている（特許文献１）。
【０００３】
埋設用脚２００は、アスファルト等の路面ＧＬに接着剤３００を使用して埋設、固定されるものであり、上面から凹設された第１の穴部２０１と、この第１の穴部２０１の底面から更に凹設され、該第１の穴部２０１よりも小径な第２の穴部２０２とを有し、この第２の穴部２０２の内周面に雌ねじが刻設されている。
【０００４】
視線誘導標識１００は、視線誘導標識本体１０１の下端に台座部１０３を有しており、この台座部１０３の下端面には、固定用ボルト１０２の周囲を取り囲むように突出する突起部１０４が一体に形成されている。この突起部１０４は、視線誘導標識１００の設置時に、埋設用脚２００の第１の穴部２０１内に嵌り込むようになっている。
【０００５】
しかしながら、このような従来の視線誘導標識では、設置状態で路面ＧＬと台座部１０３との間の隙間Ｓ１から、融雪剤の溶け込んだ雨水や泥水等が毛管作用によって浸入し、突起部１０４と第１の穴部２０１との隙間Ｓ２を通って、固定用ボルト１０２と第２の穴部２０２との螺合部分まで容易に浸入してしまう。このため、長期の使用によってこれらが乾燥し、融雪剤粉や泥、埃等が堆積して螺合部分が固着してしまうという問題が発生した。
【０００６】
このような固着が発生すると、工具等を用いても視線誘導標識１００を埋設用脚２００から取り外すことができなくなり、着脱式という本来の機能を失ってしまう。この場合は、視線誘導標識１００を埋設用脚２００ごと路面ＧＬから掘り出すことが必要となり、施工上大きな負担となる問題があった。
【０００７】
また、図９に示すように、台座部１０３と埋設用脚２００との間に泥水や塵等の侵入を防止するための防塵リングを挟み込むことも知られているが、台座部１０３が路面ＧＬの凹凸の影響で傾いた場合には対応できず、台座部１０３と防塵リング４００との間に隙間が発生し、泥水や塵等が浸入してしまう問題があった。
【先行技術文献】
【特許文献】
【０００８】
【特許文献１】特開２０１０−１０６６３２号公報
【発明の概要】
【発明が解決しようとする課題】
【０００９】
そこで、本発明は、視線誘導標識を埋設用脚に設置した際に、埋設用脚内への水の浸入を防止する防水機能が付与されるようにすることにより、長期使用によっても着脱式本来の機能を失うことがない視線誘導標識の脚部取付け構造を提供することを課題とする。
【００１０】
また、本発明は、埋設用脚に設置した際に、埋設用脚内への水の浸入を防止する防水機能が付与されるようにすることにより、長期使用によっても着脱式本来の機能を失うことがない視線誘導標識を提供することを課題とする。
【００１１】
本発明の他の課題は、以下の記載により明らかとなる。
【課題を解決するための手段】
【００１２】
上記課題は以下の各発明によって解決される。
【００１３】
（請求項１）
視線誘導標識の台座部から突設される固定用ボルトを、路面に埋設された埋設用脚に対して螺合させることにより該視線誘導標識を路面に立設する視線誘導標識の脚部取付け構造であって、
前記埋設用脚は、上面から凹設された第１の穴部と、前記第１の穴部の底面から更に凹設され、該第１の穴部よりも小径な第２の穴部とを有し、前記第２の穴部の内周面に前記固定用ボルトと螺合する雌ねじが刻設されており、
前記視線誘導標識は、柱形状の視線誘導標識本体の下端に台座部を有すると共に、該台座部の下端面から前記固定用ボルトと同軸状に突出する合成樹脂製の突起部を有し、
前記突起部の下端面に合成樹脂製の環状凸条部が前記固定用ボルトと同心状に突設されており、
前記固定用ボルトが前記埋設用脚の前記雌ねじに螺合することにより、前記視線誘導標識の前記突起部が前記埋設用脚の前記第１の穴部内に嵌合すると共に、前記環状凸条部が前記第１の穴部の底面に当接するように取り付けられることを特徴とする視線誘導標識の脚部取付け構造。
【００１４】
（請求項２）
前記環状凸条部は前記突起部に一体成形されていることを特徴とする請求項１記載の視線誘導標識の脚部取付け構造。
【００１５】
（請求項３）
上面から凹設された第１の穴部と、前記第１の穴部の底面から更に凹設され、該第１の穴部よりも小径な第２の穴部と、前記第２の穴部の内周面に刻設された雌ねじとを有して路面に埋設される埋設用脚に対して着脱可能に取り付けられる視線誘導標識であって、
柱形状の視線誘導標識本体の下端に台座部と、該台座部の下端面から突設されて前記埋設用脚の前記第２の穴部と螺合する固定用ボルトと、前記台座部の下端面から前記固定用ボルトと同軸状に突出することで前記埋設用脚の前記第１の穴部に挿入される合成樹脂製の突起部とを有し、
前記突起部の下端面に、前記埋設用脚への取付け完了時に前記第１の穴部の底面に当接する合成樹脂製の環状凸条部が、前記固定用ボルトと同心状に突設されていることを特徴とする視線誘導標識。
【００１６】
（請求項４）
前記環状凸条部は前記突起部に一体成形されていることを特徴とする請求項３記載の視線誘導標識。
【発明の効果】
【００１７】
本発明によれば、視線誘導標識を埋設用脚に設置した際に、埋設用脚内への水の浸入を防止する防水機能を付与することができ、長期使用によっても着脱式本来の機能を失うことがない視線誘導標識の脚部取付け構造を提供することができる。
【００１８】
また、本発明は、埋設用脚に設置した際に、埋設用脚内への水の浸入を防止する防水機能を付与することができ、長期使用によっても着脱式本来の機能を失うことがない視線誘導標識を提供することができる。
【図面の簡単な説明】
【００１９】
【図１】本発明に係る視線誘導標識を埋設用脚に取り付けた状態を示す図
【図２】本発明に係る視線誘導標識と埋設用脚との螺合部分を示す断面図
【図３】本発明に係る視線誘導標識の底面図
【図４】（ａ）〜（ｄ）は環状凸条部の態様を示す断面図
【図５】本発明に係る視線誘導標識の他の態様を示す埋設用脚との螺合部分を示す断面図
【図６】本発明に係る視線誘導標識の更に他の態様を示す埋設用脚との螺合部分を示す断面図
【図７】水没試験を説明する図
【図８】従来の視線誘導標識と埋設用脚との螺合部分を示す断面図
【図９】従来の視線誘導標識と埋設用脚との間に防塵リングを設けた例を示す断面図
【発明を実施するための形態】
【００２０】
以下、本発明の実施の形態について図面を用いて説明する。
【００２１】
図１は、本発明に係る視線誘導標識を埋設用脚に取り付けた状態を示す図、図２は、本発明に係る視線誘導標識と埋設用脚との螺合部分を示す断面図、図３は、本発明に係る視線誘導標識の底面図であり、図中、１は視線誘導標識、２は埋設用脚である。
【００２２】
視線誘導標識１は、合成樹脂製の中空柱状体からなる視線誘導標識本体１１と、路面ＧＬに接する下端に、視線誘導標識本体１１と該視線誘導標識本体１１よりも大径となる円柱状の台座部１２とを有している。台座部１２内には固定用ボルト１３の頭部側が埋設されており、外周面に雄ねじが刻設されている先端のボルト部１３ａ側は台座部１２の中央部から下方に突出している。
【００２３】
一方、この視線誘導標識１を路面ＧＬに立設するための埋設用脚２は、例えばアルミ鋳造等によって形成された有底円筒状の脚本体２１の上面から所定深さで凹設された平面視円形状の第１の穴部２２と、この第１の穴部２２の底面２２ａから所定深さで更に凹設され、該第１の穴部２２よりも小径な平面視円形状の第２の穴部２３が一体に連通して形成されている。第２の穴部２３の内周面には、固定用ボルト１３のボルト部１３ａと螺合する雌ねじが刻設されている。
【００２４】
埋設用脚２は、第１の穴部２２の開口面が路面ＧＬに対してほぼ面一に露出するように、予め視線誘導標識１を立設すべき場所に埋設される。視線誘導標識１の取付け時、固定用ボルト１３のボルト部１３ａを埋設用脚２の第２の穴部２３まで挿入させ、視線誘導標識１自体を回転することによって第２の穴部２３の雌ねじ部と螺合させ、路面ＧＬに立設される。
【００２５】
埋設用脚２の脚本体２１の下端付近には、部分的に外径が小径となる小径部２４が形成されており、この小径部２４に埋設時に使用される接着剤３００が食い込むことによって埋設用脚２の抜け止めが図られている。
【００２６】
視線誘導標識１の台座部１２の下端面１２ａは路面ＧＬ上に立設された際に該路面ＧＬに対して当接する面であり、この下端面１２ａの中央部に、固定ボルト１３の周囲を取り囲むように突出する突起部１４が、台座部１２と一体に形成されている。
【００２７】
この突起部１４は、図３に示すように、台座部１２の底面側から見て固定ボルト１３と同軸状の円形状に形成されており、その外形形状は、埋設用脚２の第１の穴部２２の内面形状とほぼ同様となる円柱状に形成されている。突起部１４の外径は、台座部１２よりも小さく、且つ、第１の穴部２２の内径と同一又はやや小径とされている。また、突起部１４の台座部１２の下端面１２ａからの突出高さは、第１の穴部２２の凹設深さと同一となるように形成されている。  
【００２８】
このため、視線誘導標識１の固定ボルト１３が埋設用脚２の第２の穴部２３と螺合し、台座部１２の下端面１２ａが路面ＧＬとほぼ当接する取付け完了状態とされると、この突起部１４は第１の穴部２２内に嵌り込み、視線誘導標識１の台座部２２に横方向の力が加わった際の応力を分散させ、ねじ部の破壊を防止するように機能する。
【００２９】
この突起部１４の下端面１４ａには、視線誘導標識１が埋設用脚２に対して取付け完了状態とされた際に、埋設用脚２の第１の穴部２２の底面２２ａに当接する環状凸条部１５が、固定ボルト１３と同心状に形成されている。
【００３０】
この環状凸条部１５は、ここでは図４（ａ）に示すように断面半球状に突出するように突起部１４と一体成形されている。環状凸条部１５が突起部１４の下端面１４ａから突出することにより、突起部１４が第１の穴部２２内に嵌り込んで埋設用脚２に対する取付け完了状態とされた際、その底面２２ａに当接することで、当接面を境にした内側（埋設用脚２の第２の穴部２３側）と外側（埋設用脚２の第１の穴部２２の内壁面側）との間を密封して防水機能を付与する。
【００３１】
これにより、台座部１２の下端面１２ａと路面ＧＬとの間の隙間Ｓ１から浸入した水は、突起部１４と第１の穴部２２との間の隙間Ｓ２まで浸入しても、環状凸条部１５によるシール部分によってそれ以上の浸入が阻止されるため、第２の穴部２３内まで浸入することはなくなる。
【００３２】
また、シール部は環状凸条部１５によってほぼ線状の環状に形成されるため、全周に亘って確実な密封状態を維持することができる。
【００３３】
この環状凸条部１５による密封効果を確実にするため、突起部１４は、ウレタン硬度がショアＡ硬度で８０°〜１００°のウレタン樹脂製とすることが好ましい。環状凸条部１５がこの突起部１４と一体成形されることで、環状凸条部１５も同じウレタン樹脂で形成される。上記ウレタン硬度のウレタン樹脂製とすることで、これら突起部１４及び環状凸条部１５が適度な柔軟性を示して当接時に適度に弾性変形するので、高いシール効果を発揮することができる。
【００３４】
また、同様に密封効果を確実にするため、環状凸条部１５の突起部１４の下端面１４ａからの突出高さは、０．１ｍｍ〜３．０ｍｍとすることが好ましく、０．５ｍｍ〜３．０ｍｍとすることがより好ましい。ここでは突起部１４の台座部１２の下端面１２ａからの突出高さが、第１の穴部２２の凹設深さと同一となるように形成されているので、この環状凸条部１５の突出高さを上記の値とすることで、その突出高さ分だけ第１の穴部２２の底面２２ａに対して強く圧接させて弾性変形させることができ、より高い密封状態を作り出すことができる。
【００３５】
環状凸条部１５の幅は、１ｍｍ〜５ｍｍとすることが好ましい。
【００３６】
また、環状凸条部１５は、突起部１４の下端面１４ａに、同心状に複数形成してもよい。
【００３７】
環状凸条部１５の断面形状は、図４（ａ）に示す半球状のものに限らず、埋設用脚２の第１の穴部２２の底面２２ａと当接した際に適度に弾性変形してシール効果を発揮し得るものであれば任意であり、例えば図４（ｂ）に示すように断面Ｖ字形状としてもよい。
【００３８】
また図４（ｃ）に示すように、下方に突出させた先端側をやや外側に傾倒させたリップ形状として弾性変形し易い形状にすることで、よりシール効果を高めることもできる。この形状では、環状凸条部１５の先端と突起部１４の下端面１４ａとの間に外側に向けて開放する凹部１５ａが形成されるので、環状凸条部１５をより弾性変形し易くできる。
【００３９】
更に図４（ｄ）に示すように、環状凸条部１５の先端をやや外側に偏倚させた断面三角形状とすることもできる。
【００４０】
視線誘導標識１の台座部１２は円柱形状とする以外にも、図５に示すように、裾広がり状の台座部１２とすることもできる。この裾広がり状の台座部１２も、上記同様に、下端面１２ａに突起部１４を一体成形すればよい。
【００４１】
また、台座部は一体式のものに限らず、図６に示すように分割式のものであってもよい。すなわち、視線誘導標識本体１１の下端に一体に該本体１１とほぼ同径のコア台座部１２１を一体に形成し、このコア台座部１２１の外周に、裾広がり台座部１２２を別体に形成することにより、台座部１２を形成したものである。このような裾広がり台座部１２２は、通常、コア台座部１２１とは異なる樹脂、例えばコア台座部１２１よりも硬質なポリエチレン、ポリプロピレン等で形成される。
【００４２】
この場合、コア台座部１２１を上記同様のウレタン樹脂製とし、その下端面１２１ａに突起部１４を一体成形すればよい。
【実施例】
【００４３】
図２と同様の構造の視線誘導標識の下端に埋設用脚を完全に螺合させて取り付けた状態で、その取付け部分を図７に示すように水Ｗを張った水槽Ｔ中に浸漬させる水没試験を行った。なお、図７中の符号の部位は、図２中の同一符号の部位と同一構成の部位を示している。
【００４４】
視線誘導標識Ａ（本発明品）
視線誘導標識
直径：８０ｍｍ
台座部（ウレタン樹脂）
ショアＡ硬度：９０
直径：９４ｍｍ
固定用ボルト
Ｍ２４
突起部（ウレタン樹脂）
ショアＡ硬度：９０
突出高さ：１９ｍｍ
環状凸条部（ウレタン樹脂）
ショアＡ硬度：９０
突出高さ：３ｍｍ
埋設用脚（アルミ鋳造）
第１の穴部
内径：４１ｍｍ
凹設深さ：２０ｍｍ
【００４５】
視線誘導標識Ｂ（従来品）
環状凸条部を設けない以外は、視線誘導標識Ａと同一とした。
【００４６】
それぞれ埋設用脚を螺合させた各視線誘導標識Ａ、Ｂを水槽Ｔ中に浸漬させて１６８時間後に取り出し、埋設用脚の第２の穴部内に浸入した水量を測定した。
【００４７】
その結果、環状凸条部を有しない視線誘導標識Ｂは２．１ｇであったのに対し、環状凸条部を有する視線誘導標識Ａでは０．２ｇとなり、本発明の高いシール効果が実証された。
【符号の説明】
【００４８】
１：視線誘導標識
１１：視線誘導標識本体
１２：台座部
１２ａ：台座部の下端面
１３：固定用ボルト
１３ａ：ボルト部
１４：突起部
１４ａ：突起部の下端面
１５：環状凸条部
１５ａ：凹部
２：埋設用脚
２１：脚本体
２２：第１の穴部
２２ａ：第１の穴部の底面
２３：第２の穴部
２４：小径部
３００：接着剤
Ｓ１：台座部の下端面と路面との間の隙間
Ｓ２：突起部と第１の穴部との間の隙間
ＧＬ：路面
【図１】
2013142241.tif 000003
【図２】
2013142241.tif 000004
【図３】
2013142241.tif 000005
【図４】
2013142241.tif 000006
【図５】
2013142241.tif 000007
【図６】
2013142241.tif 000008
【図７】
2013142241.tif 000009
【図８】
2013142241.tif 000010
【図９】
2013142241.tif 000011